(57)【要約】【課題】波形およびカーソルを表示させる表示形態における視認性および操作性を向上させる。【解決手段】表示部１３の表示領域Ａ０に対向して配設されたタッチセンサ２２と、表示領域Ａ０内の一部の領域としての第１領域Ａ１内に波形Ｗを表示させると共に、時間軸Ｘｔ上の時刻を指定するためのラインカーソルＬ１をタッチセンサ２２に対する接触操作に応じて第１領域Ａ１内に表示させる処理部とを備え、処理部は、表示領域Ａ０内でかつ第１領域Ａ１外の第２領域Ａ２に対向するタッチセンサ２２における第２対向領域Ｂ２に指先５０が接触されて指先５０が接触状態を維持しつつ第２対向領域Ｂ２から第１領域Ａ１に対向するタッチセンサ２２における第１対向領域Ｂ１まで移動する第１操作がされたときに、ラインカーソルＬ１を第１領域Ａ１内に表示させると共に、指先５０の移動に応じてラインカーソルＬ１を第１領域Ａ１内において移動させる。【選択図】図４
2015014492.tif 000002
【特許請求の範囲】
【請求項１】
表示部と、
当該表示部の表示領域に対向して配設された接触検出部と、
時間軸に沿った物理量の変化を示す波形を前記表示領域内の一部の領域として予め規定された第１領域内に表示させると共に、前記時間軸上の時刻を指定するための線状のカーソルおよび前記物理量の値を指定するための線状のカーソルの少なくとも一方を前記接触検出部に対する接触操作に応じて当該第１領域内に表示させる処理部とを備えた波形表示装置であって、
前記処理部は、前記表示領域内でかつ前記第１領域外の第２領域に対向する前記接触検出部における第２対向領域に接触体が接触されて当該接触体が接触状態を維持しつつ当該第２対向領域から前記第１領域に対向する前記接触検出部における第１対向領域まで移動する前記接触操作としての第１操作がされたときに、前記少なくとも一方のカーソルを前記第１領域内に表示させると共に、前記接触体の移動に応じて当該カーソルを前記第１領域内において移動させる波形表示装置。
【請求項２】
前記処理部は、前記少なくとも一方のカーソルを表示させている状態において前記第１操作がされたときに、前記少なくとも一方のカーソルを新たに追加して前記第１領域内に表示させると共に、当該追加したカーソルを前記接触体の移動に応じて前記第１領域内において移動させる請求項１記載の波形表示装置。
【請求項３】
前記処理部は、前記少なくとも一方のカーソルに対向する前記接触検出部における第１対向部位に前記接触体が接触されて当該接触体が接触状態を維持しつつ前記第１対向領域から前記第２対向領域まで移動する前記接触操作としての第２操作がされたときに、当該少なくとも一方のカーソルの表示を終了させる請求項１または２記載の波形表示装置。
【請求項４】
前記処理部は、前記少なくとも一方のカーソルを表示させている状態において前記波形に対向する前記接触検出部における第２対向部位に前記接触体が接触されて当該接触体が接触状態を維持しつつ移動する前記接触操作としての第３操作がされたときに、前記少なくとも一方のカーソルを移動させることなく前記接触体の移動に応じて前記波形を前記第１領域内において移動させる請求項１から３のいずれかに記載の波形表示装置。
【請求項５】
前記処理部は、前記少なくとも一方のカーソルに対向する前記接触検出部における第１対向部位に対して前記接触体を予め決められた回数だけタップさせる前記接触操作としての第４操作がされたときに当該少なくとも一方のカーソルの前記波形に対する相対位置を固定した固定状態に維持すると共に、当該固定状態において前記波形に対向する前記接触検出部における第２対向部位に前記接触体が接触されて当該接触体が接触状態を維持しつつ移動する前記接触操作としての第５操作がされたときに前記固定状態を維持しつつ当該接触体の移動に応じて前記少なくとも一方のカーソルと当該波形とを前記第１領域内において移動させる請求項１から４のいずれかに記載の波形表示装置。
【請求項６】
表示部の表示領域内の一部の領域として予め規定された第１領域内に時間軸に沿った物理量の変化を示す波形を表示させると共に、前記時間軸上の時刻を指定するための線状のカーソルおよび当該第１領域内における前記物理量の値を指定するための線状のカーソルの少なくとも一方を前記表示部の表示領域に対向して配設された接触検出部に対する接触操作に応じて当該第１領域内に表示させる波形表示方法であって、
前記表示領域内でかつ前記第１領域外の第２領域に対向する前記接触検出部における第２対向領域に接触体が接触されて当該接触体が接触状態を維持しつつ当該第２対向領域から前記第１領域に対向する前記接触検出部における第１対向領域まで移動する前記接触操作としての第１操作がされたときに、前記少なくとも一方のカーソルを前記第１領域内に表示させると共に、前記接触体の移動に応じて当該カーソルを前記第１領域内において移動させる波形表示方法。
【請求項７】
表示部の表示領域内の一部の領域として予め規定された第１領域内に時間軸に沿った物理量の変化を示す波形を表示させると共に、前記時間軸上の時刻を指定するための線状のカーソルおよび当該第１領域内における前記物理量の値を指定するための線状のカーソルの少なくとも一方を前記表示部の表示領域に対向して配設された接触検出部に対する接触操作に応じて当該第１領域内に表示させる表示処理を処理部に実行させる波形表示プログラムであって、
前記表示領域内でかつ前記第１領域外の第２領域に対向する前記接触検出部における第２対向領域に接触体が接触されて当該接触体が接触状態を維持しつつ当該第２対向領域から前記第１領域に対向する前記接触検出部における第１対向領域まで移動する前記接触操作としての第１操作がされたときに、前記少なくとも一方のカーソルを前記第１領域内に表示させると共に、前記接触体の移動に応じて当該カーソルを前記第１領域内において移動させる処理を前記表示処理として前記処理部に実行させる波形表示プログラム。
【発明の詳細な説明】
【技術分野】
【０００１】
本発明は、波形を表示部に表示させる波形表示装置、波形表示方法および波形表示プログラム関するものである。
【背景技術】
【０００２】
この種の波形表示装置として、特開２０１３−２４８３５号公報において出願人が開示した波形表示装置が知られている。この波形表示装置は、表示部、タッチセンサを有する操作部および制御部を備えて、電圧の変化を示す波形や、波形との交点における電圧値を表示させるために用いるカーソルラインを表示可能に構成されている。この波形表示装置では、表示部に表示されている波形用の順送りボタンの画像および逆送りボタンの画像（タッチセンサにおける各画像に対向する部位）に対して指先を接触させることで、波形をスクロール表示（移動）させることが可能となっている。また、表示部に表示されているカーソルライン用の順送りボタンの画像および逆送りボタンの画像に対して指先を接触させることで、カーソルラインをスクロール表示（移動）させることが可能となっている。
【先行技術文献】
【特許文献】
【０００３】
【特許文献１】特開２０１３−２４８３５号公報（第５−１１頁、第７−９図）
【発明の概要】
【発明が解決しようとする課題】
【０００４】
ところが、上記の波形表示装置には、以下の改善すべき課題が存在する。すなわち、上記の波形表示装置では、ボタンの画像を表示部に表示させ、この画像（タッチセンサにおける画像に対向する部位）に対して指先を接触させることによってカーソルラインを移動させている。このため、このボタンの画像の表示スペース分だけを波形やカーソルラインの波形Ｗやカーソルラインの一部がボタンの画像によって隠されたり、表示領域が狭められたりすることによって視認性が低下するおそれがあり、この点の改善が望まれている。また、ボタンの画像が小さいときには、ボタンの画像に指先を接触させ難いことがあり、操作性の向上が望まれている。
【０００５】
本発明は、かかる課題に鑑みてなされたものであり、波形およびカーソルを表示させる表示形態における視認性および操作性を向上させ得る波形表示装置、波形表示方法および波形表示プログラムを提供することを主目的とする。
【課題を解決するための手段】
【０００６】
上記目的を達成すべく請求項１記載の波形表示装置は、表示部と、当該表示部の表示領域に対向して配設された接触検出部と、時間軸に沿った物理量の変化を示す波形を前記表示領域内の一部の領域として予め規定された第１領域内に表示させると共に、前記時間軸上の時刻を指定するための線状のカーソルおよび前記物理量の値を指定するための線状のカーソルの少なくとも一方を前記接触検出部に対する接触操作に応じて当該第１領域内に表示させる処理部とを備えた波形表示装置であって、前記処理部は、前記表示領域内でかつ前記第１領域外の第２領域に対向する前記接触検出部における第２対向領域に接触体が接触されて当該接触体が接触状態を維持しつつ当該第２対向領域から前記第１領域に対向する前記接触検出部における第１対向領域まで移動する前記接触操作としての第１操作がされたときに、前記少なくとも一方のカーソルを前記第１領域内に表示させると共に、前記接触体の移動に応じて当該カーソルを前記第１領域内において移動させる。
【０００７】
また、請求項２記載の波形表示装置は、請求項１記載の波形表示装置において、前記処理部は、前記少なくとも一方のカーソルを表示させている状態において前記第１操作がされたときに、前記少なくとも一方のカーソルを新たに追加して前記第１領域内に表示させると共に、当該追加したカーソルを前記接触体の移動に応じて前記第１領域内において移動させる。
【０００８】
また、請求項３記載の波形表示装置は、請求項１または２記載の波形表示装置において、前記処理部は、前記少なくとも一方のカーソルに対向する前記接触検出部における第１対向部位に前記接触体が接触されて当該接触体が接触状態を維持しつつ前記第１対向領域から前記第２対向領域まで移動する前記接触操作としての第２操作がされたときに、当該少なくとも一方のカーソルの表示を終了させる。
【０００９】
また、請求項４記載の波形表示装置は、請求項１から３のいずれかに記載の波形表示装置において、前記処理部は、前記少なくとも一方のカーソルを表示させている状態において前記波形に対向する前記接触検出部における第２対向部位に前記接触体が接触されて当該接触体が接触状態を維持しつつ移動する前記接触操作としての第３操作がされたときに、前記少なくとも一方のカーソルを移動させることなく前記接触体の移動に応じて前記波形を前記第１領域内において移動させる。
【００１０】
また、請求項５記載の波形表示装置は、請求項１から４のいずれかに記載の波形表示装置において、前記処理部は、前記少なくとも一方のカーソルに対向する前記接触検出部における第１対向部位に対して前記接触体を予め決められた回数だけタップさせる前記接触操作としての第４操作がされたときに当該少なくとも一方のカーソルの前記波形に対する相対位置を固定した固定状態に維持すると共に、当該固定状態において前記波形に対向する前記接触検出部における第２対向部位に前記接触体が接触されて当該接触体が接触状態を維持しつつ移動する前記接触操作としての第５操作がされたときに前記固定状態を維持しつつ当該接触体の移動に応じて前記少なくとも一方のカーソルと当該波形とを前記第１領域内において移動させる。
【００１１】
また、請求項６記載の波形表示方法は、表示部の表示領域内の一部の領域として予め規定された第１領域内に時間軸に沿った物理量の変化を示す波形を表示させると共に、前記時間軸上の時刻を指定するための線状のカーソルおよび当該第１領域内における前記物理量の値を指定するための線状のカーソルの少なくとも一方を前記表示部の表示領域に対向して配設された接触検出部に対する接触操作に応じて当該第１領域内に表示させる波形表示方法であって、前記表示領域内でかつ前記第１領域外の第２領域に対向する前記接触検出部における第２対向領域に接触体が接触されて当該接触体が接触状態を維持しつつ当該第２対向領域から前記第１領域に対向する前記接触検出部における第１対向領域まで移動する前記接触操作としての第１操作がされたときに、前記少なくとも一方のカーソルを前記第１領域内に表示させると共に、前記接触体の移動に応じて当該カーソルを前記第１領域内において移動させる。
【００１２】
また、請求項７記載の波形表示プログラムは、表示部の表示領域内の一部の領域として予め規定された第１領域内に時間軸に沿った物理量の変化を示す波形を表示させると共に、前記時間軸上の時刻を指定するための線状のカーソルおよび当該第１領域内における前記物理量の値を指定するための線状のカーソルの少なくとも一方を前記表示部の表示領域に対向して配設された接触検出部に対する接触操作に応じて当該第１領域内に表示させる表示処理を処理部に実行させる波形表示プログラムであって、前記表示領域内でかつ前記第１領域外の第２領域に対向する前記接触検出部における第２対向領域に接触体が接触されて当該接触体が接触状態を維持しつつ当該第２対向領域から前記第１領域に対向する前記接触検出部における第１対向領域まで移動する前記接触操作としての第１操作がされたときに、前記少なくとも一方のカーソルを前記第１領域内に表示させると共に、前記接触体の移動に応じて当該カーソルを前記第１領域内において移動させる処理を前記表示処理として前記処理部に実行させる。
【発明の効果】
【００１３】
請求項１記載の波形表示装置、請求項６記載の波形表示方法、および請求項７記載の波形表示プログラムでは、第２対向領域から第１対向領域まで接触体を移動させる第１操作がされたときに、第１領域にカーソルを表示させると共に接触体の移動に応じてそのカーソルを第１領域内において移動させる。このため、この波形表示装置、波形表示方法および波形表示プログラムによれば、カーソルを移動させるためのボタンの画像を用いることなく、接触検出部上で接触体を移動させる第１操作を行うだけで、カーソルの表示や移動を行うことができる。したがって、波形やカーソルの一部がボタンの画像によって隠されたり、ボタンの画像を表示することによって波形やカーソルの表示領域が狭められたりすることなく視認性を確実に向上させることができる。また、ボタンの画像にタッチするような細かな動作ではなく、接触体を第２対向領域から第１対向領域まで移動させる大きな動作でカーソルの表示や移動を行うことができるため、操作性を十分に向上させることができる。
【００１４】
また、請求項２記載の波形表示装置では、カーソルを表示させている状態において第１操作がされたときに、カーソルを追加して表示させると共に、追加したカーソルを接触体の移動に応じて第１領域内において移動させる。この場合、ボタンの画像を用いてカーソルの表示および移動を行う構成では、複数のカーソルの表示および移動を行うときには、カーソルの数分のボタンの画像を表示させることとなるため、表示させるカーソルの数に制限を設ける必要がある。これに対して、この波形表示装置では、ボタンの画像を用いることなく第１操作を行うだけで複数のカーソルの表示および移動を行うことができ、表示するカーソルの数に制限を設ける必要がないため、利便性を十分に向上させることができる。
【００１５】
また、請求項３記載の波形表示装置では、第１対向部位に接触体を接触させて第１対向領域から第２対向領域まで移動させる第２操作がされたときに、カーソルの表示を終了（カーソルを消去）させる。つまり、この波形表示装置では、カーソルを表示させる第１操作と同様の大きな動作でカーソルの表示を終了させることができるため、カーソルの表示を終了させる際の操作性を十分に向上させることができる。また、カーソルの表示を終了させるための第２操作がカーソルを表示させる第１操作とは逆の動きであるため、第２操作を使用者に容易に理解させることができる。
【００１６】
また、請求項４記載の波形表示装置では、カーソルを表示させている状態において第２対向部位に接触体を接触させて移動させる第３操作がされたときに、カーソルを移動させることなく波形を移動させる。このため、この波形表示装置によれば、例えば、カーソルを第１領域の中央部に位置させた状態で時間軸に沿って波形を移動させて、物理量の値が最も大きい時刻を探すような解析作業を容易に行うことができるため、利便性をさらに向上させることができる。
【００１７】
また、請求項５記載の波形表示装置では、第１対向部位に対して第４操作がされたときに、波形に対するカーソルの相対位置を固定した固定状態に維持し、固定状態において第２対向部位に接触体を接触されて移動させる第５操作がされたときに、固定状態を維持しつつカーソルと波形とを第１領域内において移動させる。このため、この波形表示装置によれば、所望の時刻における波形にカーソルを交差させた状態を維持したまま、第１領域の中央部の見易い位置にカーソルと波形とを移動させるような操作を容易に行うことができるため、利便性を一層向上させることができる。
【図面の簡単な説明】
【００１８】
【図１】波形表示装置１の構成を示す構成図である。
【図２】波形表示装置１の正面図である。
【図３】波形表示装置１の使用方法（第１操作）を説明する第１の説明図である。
【図４】波形表示装置１の使用方法を説明する第２の説明図である。
【図５】波形表示装置１の使用方法を説明する第３の説明図である。
【図６】波形表示装置１の使用方法を説明する第４の説明図である。
【図７】波形表示装置１の使用方法（第２操作）を説明する第５の説明図である。
【図８】波形表示装置１の使用方法（第３操作）を説明する第６の説明図である。
【図９】波形表示装置１の使用方法（第４操作および第５操作）を説明する第７の説明図である。
【図１０】波形表示装置１０１の正面図である。
【発明を実施するための形態】
【００１９】
以下、波形表示装置、波形表示方法および波形表示プログラムの実施の形態について、添付図面を参照して説明する。
【００２０】
最初に、図１に示す波形表示装置１の構成について説明する。波形表示装置１は、「波形表示装置」の一例であって、同図に示すように、入力部１１、記憶部１２、表示部１３、操作部１４および処理部１５を備え、図２に示すように、外部から入力した波形データＤｗ（図１参照）に基づく波形Ｗを（例えば、時間軸Ｘｔに沿った物理量としての電圧の変化を示す波形）を表示可能に構成されている。また、波形表示装置１は、図２に示すように、時間軸Ｘｔ（横軸）、物理量としての電圧の値を示す縦軸Ｙｖ、および時間軸Ｘｔに直交する（縦軸Ｙｖに平行な）ラインカーソルＬ１（時間軸Ｘｔ上の時刻を指定するための線状のカーソルの一例：図４参照）などの画像を波形Ｗと共に表示部１３に表示可能に構成されている。この場合、本例の波形表示装置１は、一例として、オペレーティングシステムや各種の処理プログラム（後述する波形表示プログラムＰｗ）がインストールされた既存の電子端末（タブレット端末、スマートフォンまたはパーソナルコンピュータ等）で構成されている。
【００２１】
入力部１１は、処理部１５の制御に従って外部から波形データＤｗを入力する（図１参照）。この場合、入力部１１は、一例として、無線通信回路を備えて構成され、無線での波形データＤｗの入力および有線での波形データＤｗの入力の双方を行うことが可能に構成されている。記憶部１２は、処理部１５の制御に従い、入力部１１が入力した波形データＤｗを記憶する。また、記憶部１２は、処理部１５によって実行されるオペレーティングシステムや各種の処理プログラムを記憶する。さらに、記憶部１２は、後述する波形表示方法に従って上記した波形Ｗを含む各種の画像を表示する波形表示処理を処理部１５に実行させるための波形表示プログラムＰｗを記憶する（同図参照）。
【００２２】
表示部１３は、一例として、液晶パネルで構成されて、処理部１５の制御に従って各種の画像を図２に示す表示領域Ａ０（画像を表示可能な全領域であって、同図に一点鎖線で示す領域）に表示する。この場合、表示部１３は、各画像のうちの、上記した波形Ｗ、時間軸Ｘｔ、縦軸Ｙｖ、ラインカーソルＬ１については、表示領域Ａ０内の一部の領域として予め規定された第１領域Ａ１（同図に破線で示す領域）内に表示する。
【００２３】
操作部１４は、図２に示すように、電源スイッチ２１、および接触検出部としての面状のタッチセンサ２２を備えて構成されている。また、操作部１４は、タッチセンサ２２に対して指先５０（接触体の一例：図３参照）を接触させて行う接触操作に応じた操作信号Ｓｏを出力する（図１参照）。この場合、タッチセンサ２２は、表示部１３の表示領域Ａ０の全域に対向するように表示部１３の表面側に配設されている。
【００２４】
処理部１５は、操作部１４から出力される操作信号Ｓｏに従って波形表示装置１を構成する各部を制御する。また、記憶部１２に記憶されている波形表示プログラムＰｗに従い、波形表示方法に対応した波形表示処理を実行する。
【００２５】
次に、波形表示装置１の使用方法、およびその際の波形表示装置１の動作について、図面を参照して説明する。
【００２６】
この波形表示装置１では、電源スイッチ２１が操作されたときに、波形表示装置１を構成する各部に電源が供給される。次いで、処理部１５が記憶部１２からオペレーティングシステムおよび各種の処理プログラムを読み出して処理を開始する。この際に、処理部１５は、図外のメニュー画面（初期画面）を表示部１３に表示させる。
【００２７】
続いて、波形データＤｗを外部から入力し、その波形データＤｗに基づく波形Ｗを表示させたり、表示させた波形Ｗの解析を行ったりする際には、まず、波形データＤｗの読み込みを指示する。具体的には、例えば、メニュー画面内に表示されている波形データＤｗの読み込み指示に対応するアイコンに対向するタッチセンサ２２の対向部位に対して指先５０を接触させる。この際に、操作部１４が操作信号Ｓｏを出力し、次いで、処理部１５が、操作信号Ｓｏに応じて、入力部１１を制御して波形データＤｗを入力させる。また、処理部１５は、入力部１１が入力した波形データＤｗを記憶部１２に記憶させる。この場合、一例として、時間軸に沿った物理量としての電圧の変化を示す波形についての波形データＤｗを入力したものとする。
【００２８】
続いて、メニュー画面内に表示されている波形Ｗの表示指示に対応するアイコンに対向するタッチセンサ２２の対向部位に対して指先５０を接触させる。これに応じて、処理部１５は、記憶部１２から波形表示プログラムＰｗを読み出す。次いで、処理部１５は、波形表示プログラムＰｗに従って波形表示処理を実行する。
【００２９】
この波形表示処理では、処理部１５は、記憶部１２から波形データＤｗを読み出す。続いて、処理部１５は、波形データＤｗに基づく波形Ｗ（時間軸に沿った電圧の変化を示す波形）、時刻（経過時間）を示す時間軸Ｘｔ、および電圧値を示す縦軸Ｙｖを表示させるための表示用データを生成して出力する。これにより、図２に示すように、波形Ｗ、時間軸Ｘｔおよび縦軸Ｙｖが表示部１３に表示される。
【００３０】
この場合、処理部１５は、図２に示すように、表示部１３における表示領域Ａ０（同図に一点鎖線で示す領域）内の一部の領域としての第１領域Ａ１（同図に破線で示す領域）内に波形Ｗ、時間軸Ｘｔおよび縦軸Ｙｖを表示させる。なお、表示領域Ａ０内でかつ第１領域Ａ１外の領域（同図における一点鎖線と破線との間の枠状の領域）を「第２領域Ａ２」ともいう。また、タッチセンサ２２における第１領域Ａ１に対向する領域を「第１対向領域Ｂ１」ともいい、タッチセンサ２２における第２領域Ａ２に対向する領域を「第２対向領域Ｂ２」ともいう。
【００３１】
続いて、例えば、時間軸Ｘｔ上の時刻を指定して、その時刻における波形Ｗによって示される物理量の値（電圧値）を調べるときには、所望の時刻を指定するためのラインカーソルＬ１を表示させる。
【００３２】
このラインカーソルＬ１を表示させるときには、図３に示すように、タッチセンサ２２の第２対向領域Ｂ２における右側の部位に指先５０を接触させ、これに続いて、タッチセンサ２２に対する指先５０の接触状態を維持しつつ、指先５０を第２対向領域Ｂ２から第１対向領域Ｂ１まで移動させるスワイプ操作（第１操作）を行う。
【００３３】
この際に、処理部１５は、操作部１４から出力される操作信号Ｓｏに基づき、上記の第１操作が行われたことを判別して、ラインカーソルＬ１を表示させるための表示用データを生成して出力する。これにより、図４に示すように、ラインカーソルＬ１が第１領域Ａ１（この時点では、第１領域Ａ１の右端部であって、指先５０に対向する位置）に表示される。
【００３４】
続いて、図５に示すように、タッチセンサ２２に対する指先５０の接触状態を維持しつつ、第１対向領域Ｂ１内の左側に指先５０を移動させたときには、処理部１５は、指先５０の移動に応じてラインカーソルＬ１を第１領域Ａ１内において移動させる。
【００３５】
また、処理部１５は、ラインカーソルＬ１を表示させたときには、ラインカーソルＬ１と時間軸Ｘｔとの交点における時刻（つまり、時間軸Ｘｔ上の時刻）、およびラインカーソルＬ１と波形Ｗとの交点における波形Ｗの物理量の値（電圧値）を特定すると共に、図５に示すように、その時刻および値を示す画像（同図における、吹き出し状の枠内に数値が記された画像）をそのラインカーソルＬ１の近傍に表示させる。つまり、この波形表示装置１では、ラインカーソルＬ１を移動させることで、時間軸Ｘｔ上の所望の時刻における波形Ｗの物理量の値（電圧値）を表示させて容易に把握することが可能となっている。
【００３６】
上記したように、この波形表示装置１、波形表示方法および波形表示プログラムＰｗでは、ボタンの画像を用いることなく、タッチセンサ２２上で指先５０をスワイプさせる第１操作を行うだけでラインカーソルＬ１の表示や移動を行うことができる。このため、表示されている波形Ｗの一部がボタンの画像によって隠されたり、ボタンの画像を表示するために波形Ｗの表示領域が狭められたりすることなく視認性を確実に向上させることができる。また、ボタンの画像にタッチするような細かな作業ではなく、指先５０を第２対向領域Ｂ２から第１対向領域Ｂ１まで移動させる大きな動作でラインカーソルＬ１の表示や移動を行うことができるため、操作性を十分に向上させることが可能となっている。
【００３７】
また、この波形表示装置１、波形表示方法および波形表示プログラムＰｗでは、ラインカーソルＬ１を複数表示させることが可能となっている。例えば、図５に示すように、１本のラインカーソルＬ１が表示されている状態において、図６に示すように、上記の第１操作を行ったときには、処理部１５は、同図に示すように、新たに１本のラインカーソルＬ１を追加して表示部１３の第１領域Ａ１に表示させる。また、処理部１５は、新たに表示させたラインカーソルＬ１と時間軸Ｘｔとの交点における時刻、およびラインカーソルＬ１と波形Ｗとの交点における波形Ｗの物理量の値を示す画像をそのラインカーソルＬ１の近傍に表示させる。
【００３８】
次いで、ラインカーソルＬ１をさらに追加して表示させる際には、上記の第１操作を再度行う。このようにして、第１操作を繰り返すことで、任意の数のラインカーソルＬ１を第１領域Ａ１に表示させることができる。このため、この波形表示装置１、波形表示方法および波形表示プログラムＰｗでは、時間軸Ｘｔ上の複数の時刻における波形Ｗの物理量の値を容易に調べることが可能となっている。
【００３９】
一方、表示させているラインカーソルＬ１の表示を終了（消去）させるときには、図７に示すように、タッチセンサ２２におけるラインカーソルＬ１の表示位置に対向する部位（以下、「第１対向部位Ｃ１」ともいう）に指先５０を接触させ、これに続いてタッチセンサ２２に対する指先５０の接触状態を維持しつつ、同図に示すように、指先５０を第１対向領域Ｂ１から第２対向領域Ｂ２まで（同図における右側に）移動させるスワイプ操作（第２操作）を行う。
【００４０】
この際に、処理部１５は、指先５０の移動に応じて、ラインカーソルＬ１を第１領域Ａ１の右端部まで（右側に）移動させた後に、そのラインカーソルＬ１の表示を終了させる。
【００４１】
また、この波形表示装置１、波形表示方法および波形表示プログラムＰｗでは、波形ＷおよびラインカーソルＬ１が表示されている状態において、第１領域Ａ１内におけるラインカーソルＬ１の位置を変更することなく（ラインカーソルＬ１を移動させることなく）波形Ｗを時間軸Ｘｔに沿って移動させる操作と、ラインカーソルＬ１の波形Ｗに対する相対位置を固定した状態（以下、「固定状態」ともいう）で波形ＷをラインカーソルＬ１と共に（ラインカーソルＬ１および波形Ｗを一緒に）時間軸Ｘｔに沿って移動させる操作とを行うことが可能となっている。
【００４２】
具体的には、タッチセンサ２２の第１対向部位Ｃ１に対して後述するダブルタップ操作を行っていない状態において、図８に示すように、タッチセンサ２２における波形Ｗの表示位置に対向する部位（以下、「第２対向部位Ｃ２」ともいう）に指先５０を接触させ、これに続いて、タッチセンサ２２に対する接触状態を維持しつつ指先５０を移動させるドラッグ操作（第３操作）を行う。この際には、処理部１５は、ラインカーソルＬ１を移動させることなく指先５０の移動に応じて波形Ｗを時間軸Ｘｔに沿って移動させる。
【００４３】
一方、図９に示すように、タッチセンサ２２の第１対向部位Ｃ１に対して指先５０を２回（予め決められた回数の一例）タップするダブルタップ操作（第４操作）を行ったときには、処理部１５は、ラインカーソルＬ１を固定状態に維持する。この状態で、同図に示すように、第２対向部位Ｃ２に指先５０を接触させ、これに続いて、タッチセンサ２２に対する接触状態を維持しつつ指先５０を移動させるドラッグ操作（第５操作）を行ったときには、処理部１５は、固定状態を維持しつつ、波形ＷをラインカーソルＬ１と共に時間軸Ｘｔに沿って移動させる。
【００４４】
この場合、処理部１５は、固定状態を解除しているときと、固定状態に維持しているときとで、ラインカーソルＬ１の表示態様を変更する。例えば、固定状態を解除しているときと固定状態に維持しているときとで、ラインカーソルＬ１の色および太さの少なくとも一方を異ならせる。これにより、固定状態か否かを使用者に把握させることが可能となっている。また、固定状態となっているラインカーソルＬ１の第２対向部位Ｃ２に対してダブルタップ操作（第４操作）を再度行うことで、固定状態が解除される。
【００４５】
このように、この波形表示装置１、波形表示方法および波形表示プログラムＰｗでは、第２対向領域Ｂ２から第１対向領域Ｂ１まで指先５０を移動させる第１操作（スワイプ操作）がされたときに、第１領域Ａ１にラインカーソルＬ１を表示させると共に指先５０の移動に応じてそのラインカーソルＬ１を第１領域Ａ１内において移動させる。このため、この波形表示装置１、波形表示方法および波形表示プログラムＰｗによれば、ラインカーソルＬ１を移動させるためのボタンの画像を用いることなく、タッチセンサ２２上で指先５０を移動させる第１操作（スワイプ操作）を行うだけで、ラインカーソルＬ１の表示や移動を行うことができる。このため、波形ＷやラインカーソルＬ１の一部がボタンの画像によって隠されたり、ボタンの画像を表示することによって波形ＷやラインカーソルＬ１の表示領域が狭められたりすることなく視認性を確実に向上させることができる。また、ボタンの画像にタッチするような細かな動作ではなく、指先５０を第２対向領域Ｂ２から第１対向領域Ｂ１まで移動させる大きな動作でラインカーソルＬ１の表示や移動を行うことができるため、操作性を十分に向上させることができる。
【００４６】
また、この波形表示装置１、波形表示方法および波形表示プログラムＰｗでは、ラインカーソルＬ１を表示させている状態において第１操作がされたときに、ラインカーソルＬ１を追加して表示させると共に、追加したラインカーソルＬ１を指先５０の移動に応じて第１領域Ａ１内において移動させる。この場合、ボタンの画像を用いてラインカーソルＬ１の表示および移動を行う構成および方法では、複数のラインカーソルＬ１の表示および移動を行うときには、ラインカーソルＬ１の数分のボタンの画像を表示させることとなるため、表示させるラインカーソルＬ１の数に制限を設ける必要がある。これに対して、この波形表示装置１、波形表示方法および波形表示プログラムＰｗでは、ボタンの画像を用いることなく第１操作を行うだけで複数のラインカーソルＬ１の表示および移動を行うことができ、表示するラインカーソルＬ１の数に制限を設ける必要がないため、利便性を十分に向上させることができる。
【００４７】
また、この波形表示装置１、波形表示方法および波形表示プログラムＰｗでは、第１対向部位Ｃ１に指先５０を接触させて第１対向領域Ｂ１から第２対向領域Ｂ２まで移動させる第２操作がされたときに、ラインカーソルＬ１の表示を終了（ラインカーソルＬ１を消去）させる。つまり、この波形表示装置１、波形表示方法および波形表示プログラムＰｗでは、ラインカーソルＬ１を表示させる第１操作と同様の大きな動作でラインカーソルＬ１の表示を終了させることができるため、ラインカーソルＬ１の表示を終了させる際の操作性を十分に向上させることができる。また、ラインカーソルＬ１の表示を終了させるための第２操作がラインカーソルＬ１を表示させる第１操作とは逆の動きであるため、第２操作を使用者に容易に理解させることができる。
【００４８】
また、この波形表示装置１、波形表示方法および波形表示プログラムＰｗでは、ラインカーソルＬ１を表示させている状態において第２対向部位Ｃ２に指先５０を接触させて移動させる第３操作（ドラッグ操作）がされたときに、ラインカーソルＬ１を移動させることなく波形Ｗを移動させる。このため、この波形表示装置１、波形表示方法および波形表示プログラムＰｗによれば、例えば、ラインカーソルＬ１を第１領域Ａ１の中央部に位置させた状態で時間軸Ｘｔに沿って波形Ｗを移動させて、物理量の値が最も大きい時刻を探すような解析作業を容易に行うことができるため、利便性をさらに向上させることができる。
【００４９】
また、この波形表示装置１、波形表示方法および波形表示プログラムＰｗでは、第１対向部位Ｃ１に対して第４操作（ダブルタップ操作）がされたときに、波形Ｗに対するラインカーソルＬ１の相対位置を固定した固定状態に維持し、固定状態において第２対向部位Ｃ２に指先５０を接触されて移動させる第５操作（ドラッグ操作）がされたときに、固定状態を維持しつつラインカーソルＬ１と波形Ｗとを第１領域Ａ１内において移動させる。このため、この波形表示装置１、波形表示方法および波形表示プログラムＰｗによれば、所望の時刻における波形ＷにラインカーソルＬ１を交差させた状態を維持したまま、第１領域Ａ１の中央部の見易い位置にラインカーソルＬ１と波形Ｗとを移動させるような操作を容易に行うことができるため、利便性を一層向上させることができる。
【００５０】
なお、波形表示装置１、波形表示方法および波形表示プログラムＰｗは、上記の構成および方法に限定されない。例えば、時間軸Ｘｔ上の時刻を指定するためのカーソルとしてのラインカーソルＬ１を表示させる構成および方法に適用した例について上記したが、ラインカーソルＬ１に代えて、図１０に示すように、縦軸Ｙｖに直交する（時間軸Ｘｔに平行な）ラインカーソルＬ２を表示させる波形表示装置１０１、波形表示方法および波形表示プログラムに適用することもできる。
【００５１】
この場合、ラインカーソルＬ２は、縦軸Ｙｖ上の物理量の値を指定するための線状のカーソルであって、例えば、所望の物理量の値を指定して、波形Ｗにおける物理量の値が指定した値となる時刻を探すような作業を行う際に用いることができる。このラインカーソルＬ２を表示させる波形表示装置１０１、波形表示方法および波形表示プログラムにおいても、上記した第１操作〜第５操作を行ったときに、処理部１５に上記した波形表示処理を実行させることで、上記した各種の効果を実現することができる。
【００５２】
また、ラインカーソルＬ１およびラインカーソルＬ２の双方を表示させる構成および方法に適用することもでき、この構成および方法においても上記した各種の効果を実現することができる。
【００５３】
また、上記の例では、第１対向部位Ｃ１に対して指先５０を２回タップするダブルタップ操作を第４操作として規定したが、１回または３回以上のタップ操作を第４操作として規定することもできる。
【符号の説明】
【００５４】
１，１０１  波形表示装置
１３  表示部
１５  処理部
２２  タッチセンサ
５０  指先
Ａ０  表示領域
Ａ１  第１領域
Ａ２  第２領域
Ｂ１  第１対向領域
Ｂ２  第２対向領域
Ｃ１  第１対向部位
Ｃ２  第２対向部位
ラインカーソルＬ１，Ｌ２
Ｐｗ  波形表示プログラム
Ｗ  波形
Ｘｔ  時間軸
Ｙｖ  縦軸
【図１】
2015014492.tif 000003
【図２】
2015014492.tif 000004
【図３】
2015014492.tif 000005
【図４】
2015014492.tif 000006
【図５】
2015014492.tif 000007
【図６】
2015014492.tif 000008
【図７】
2015014492.tif 000009
【図８】
2015014492.tif 000010
【図９】
2015014492.tif 000011
【図１０】
2015014492.tif 000012